(57)【要約】  【課題】  冷却ファン用のモータを不要とし、装置内部を冷却すると共に、特に光ピックアップの冷却効率を高めることができる光ディスク装置を提供する。  【解決手段】  スピンドルモータが回転すると、ターンテーブル３が回転すると共にシロッコファン５も回転する。シロッコファン５が回転すると、ファンカバー６の下部に設けられている吸気口から空気が吸い込まれ、ブロワ−７の排気口９から空気が排出され、主に光ピックアップ１１に向かって送風される。したがって、スピンドルモータを冷却ファン用モータとしても共用できるので、冷却ファン用モータが不要となり、この分、コストダウンを図れ、また、光ピックアップ１１に向かって送風することにより、光ピックアップ１１の冷却効率を高めることができ、温度上昇によるレーザダイオードの劣化を防止できて、装置の寿命が長くなると共に、記録時や再生時の悪影響を低減できる。【選択図】      図１
2006092650.tif 000002
【特許請求の範囲】
【請求項１】
スピンドルモータの回転軸に取り付けられたターンテーブルと、このターンテーブルに
保持される光ディスクの半径方向に移動して光ディスクに記録された情報を読み取る読取
り機能、または光ディスクに情報を書き込む書込み機能および光ディスクに記録された情
報を読み取る読取り機能を有する光ピックアップとを備えた光ディスク装置において、前
記スピンドルモータの回転軸に取り付けられたシロッコファンと、下部に吸気口を有する
と共に前記光ピックアップの方向に面する側面の所定側面に形成されたブロワ−による排
気口を有し前記シロッコファンを囲むように設けられたファンカバーとから構成されるブ
ロワ−型ファンを設け、前記ブロワ−型ファンにより前記光ピックアップおよびその付近
を冷却することを特徴とする光ディスク装置。
【請求項２】
スピンドルモータの回転軸に取り付けられたターンテーブルと、このターンテーブルに
保持される光ディスクの半径方向に移動して光ディスクに記録された情報を読み取る読取
り機能、または光ディスクに情報を書き込む書込み機能および光ディスクに記録された情
報を読み取る読取り機能を有する光ピックアップとを備えた光ディスク装置において、前
記スピンドルモータにより回転するようにブロワ−型ファンを設けると共に、前記ブロワ
−型ファンを前記光ピックアップの方向に送風できるように配置したことを特徴とする光
ディスク装置。
【請求項３】
前記ブロワ−型ファンは、前記スピンドルモータの回転軸に取り付けられたシロッコフ
ァンと、下部に吸気口を有すると共に前記光ピックアップの方向に面する側面の所定側面
に形成されたブロワ−による排気口を有し前記シロッコファンを囲むように設けられたフ
ァンカバーとを有することを特徴とする請求項２に記載の光ディスク装置。
【発明の詳細な説明】
【技術分野】
【０００１】
本発明は、光ディスクに記録された情報の再生を、あるいは、光ディスクに対して情報
の記録／再生を行う光ディスク装置に関し、特に、装置内部を冷却するための送風機構を
有する光ディスク装置に関する。
【背景技術】
【０００２】
従来から、光ディスク装置には、装置内部を冷却するためにケーシング内部後方位置に
送風ファンが配設されているものがある。この種の光ディスク装置は、装置の電源をオン
したときに冷却ファン用モータが起動され、装置後方から送風して装置内部を冷却するよ
うになっている。このような構成の光ディスク装置は、冷却ファン用モータが装置内部の
ケーシングの背面壁部分に配設されており、しかも、光ディスクを回転駆動するスピンド
ルモータ（ディスクモータ）とは別個に冷却ファン用モータを必要とするため、装置内部
に大きな部品配置空間が必要であり、特に奥行きを必要とするため、装置全体をコンパク
ト化できないなどの課題があった。
【０００３】
そこで、特許文献１の従来技術では、ディスクモータに対し結合分離自在の送風ファン
を設け、特別なファンモータを設けることなく装置内部を冷却するようにしている。また
、特許文献２の従来技術では、スピンドルモータの回転軸にファンを固定し、スピンドル
モータの回転によりファンを回転させ、光ピックアップの発熱部を冷却できるようにして
いる。また、特許文献３の従来技術では、ディスク駆動用モータにより回転する冷却用フ
ァンを設け、そのモータから放射された熱が光ピックアップに影響しないようにしている
。
【特許文献１】特開平１１−１２６４７２号公報
【特許文献２】特開平１１−１１０９５９号公報
【特許文献３】特開平９−１４７５４１号公報
【発明の開示】
【発明が解決しようとする課題】
【０００４】
このように上記のような従来技術は、スピンドルモータにより回転する冷却用ファンを
設けているので、別個に冷却ファン用モータは不要となり、装置全体をコンパクト化する
ことが可能になり、このような冷却用ファンにより装置内部を全体的に送風するようにな
っている。
【０００５】
ところで、光ピックアップは、レーザ光を出射するレーザダイオードと、レーザ光を光
ディスクの記録面に照射する対物レンズと、この対物レンズをトラッキング方向に駆動す
るためのトラッキング制御機構と、対物レンズをフォーカス方向に駆動するためのフォー
カス制御機構などが設けられている。一方、光ディスクの記録面には、微細なビットが高
密度に形成されているため、光ピックアップは、常にレーザ光の照射位置を精密に制御し
ながら回転する光ディスクの記録面の所定位置にレーザ光を照射しなければならない。そ
して、光ディスクの記録面で反射した反射光が光ピックアップの光検出器で受光されると
、光検出器は受光した光の光強度を検出し電気信号として出力する。
【０００６】
ところが、光ピックアップの温度が所定以上に上昇すると、トラッキング制御やフォー
カス制御にずれが生じて光ディスクに記録されている情報を正確に読み取ることができな
くなる虞が生じる。また、光ピックアップのレーザダイオードは、温度上昇と共に発光効
率が低下し、温度が高い状態で指定した光出力を得ようとすると、レーザダイオードに、
余分に負荷をかけることになり、そのため、温度が高い状態で光ディスク装置を使用する
と、通常よりも光ディスク装置の寿命が縮まることが想定される。そこで、上述したよう
な従来技術では、スピンドルモータにより回転する冷却用ファンにより装置内部を全体的
に送風するようにしているが、特に光ピックアップの方向に向いて送風される訳ではない
ので、光ピックアップに対する冷却効率は劣ることになる。
【０００７】
本発明は、上記のような課題を解決するためになされたもので、冷却ファン用のモータ
を不要とし、装置内部を冷却すると共に、特に光ピックアップの冷却効率を高めることが
できる光ディスク装置を提供することを目的とする。
【課題を解決するための手段】
【０００８】
上記目的を達成するために、請求項１の発明は、スピンドルモータの回転軸に取り付け
られたターンテーブルと、このターンテーブルに保持される光ディスクの半径方向に移動
して光ディスクに記録された情報を読み取る読取り機能、または光ディスクに情報を書き
込む書込み機能および光ディスクに記録された情報を読み取る読取り機能を有する光ピッ
クアップとを備えた光ディスク装置において、前記スピンドルモータの回転軸に取り付け
られたシロッコファンと、下部に吸気口を有すると共に前記光ピックアップの方向に面す
る側面の所定側面に形成されたブロワ−による排気口を有し前記シロッコファンを囲むよ
うに設けられたファンカバーとから構成されるブロワ−型ファンを設け、前記ブロワ−型
ファンにより前記光ピックアップおよびその付近を冷却することを特徴とする光ディスク
装置を提供する。
【０００９】
この構成において、スピンドルモータが回転すると、ターンテーブルが回転すると共に
シロッコファンも回転する。シロッコファンが回転すると、吸気口から空気が吸い込まれ
、ブロワ−の排気口から空気が排出され、主に光ピックアップに向かって送風される。
【００１０】
したがって、この構成によれば、スピンドルモータを冷却ファン用モータとしても共用
できるので、冷却ファン用モータが不要となり、この分、コストダウンを図れ、また、装
置内部の部品の設定位置の効率化を行うことができ、これにより、装置のコンパクト化も
図れる。また、光ピックアップに向かって送風することにより、即ち、光ピックアップを
直接冷却することにより、光ピックアップの冷却効率を高めることができ、温度上昇によ
るレーザダイオードの劣化を防止できて、装置の寿命が長くなると共に、記録時や再生時
の悪影響を低減できる。
【００１１】
請求項２の発明は、スピンドルモータの回転軸に取り付けられたターンテーブルと、こ
のターンテーブルに保持される光ディスクの半径方向に移動して光ディスクに記録された
情報を読み取る読取り機能、または光ディスクに情報を書き込む書込み機能および光ディ
スクに記録された情報を読み取る読取り機能を有する光ピックアップとを備えた光ディス
ク装置において、前記スピンドルモータにより回転するようにブロワ−型ファンを設ける
と共に、前記ブロワ−型ファンを前記光ピックアップの方向に送風できるように配置した
ことを特徴とする光ディスク装置を提供する。
【００１２】
この構成において、スピンドルモータが回転すると、ターンテーブルが回転すると共に
ブロワ−型ファンも回転する。ブロワ−型ファンが回転すると、主に光ピックアップに向
かって送風される。
【００１３】
したがって、この構成によれば、スピンドルモータを冷却ファン用モータとしても共用
できるので、冷却ファン用モータが不要となり、この分、コストダウンを図れ、また、装
置内部の部品の設定位置の効率化を行うことができ、これにより、装置のコンパクト化も
図れる。また、光ピックアップに向かって送風することにより、即ち、光ピックアップを
直接冷却することにより、光ピックアップの冷却効率を高めることができ、温度上昇によ
るレーザダイオードの劣化を防止できて、装置の寿命が長くなると共に、記録時や再生時
の悪影響を低減できる。
【００１４】
請求項３の発明では、請求項２の発明において、前記ブロワ−型ファンは、前記スピン
ドルモータの回転軸に取り付けられたシロッコファンと、下部に吸気口を有すると共に前
記光ピックアップの方向に面する側面の所定側面に形成されたブロワ−による排気口を有
し前記シロッコファンを囲むように設けられたファンカバーとを有するので、光ピックア
ップに向かって送風することが可能になる。
【発明の効果】
【００１５】
以上のように本発明によれば、スピンドルモータの回転軸に取り付けられたシロッコフ
ァンと、下部に吸気口を有すると共に光ピックアップの方向に面する側面の所定側面に形
成されたブロワ−による排気口を有し前記シロッコファンを囲むように設けられたファン
カバーとから構成されるブロワ−型ファンを設け、前記ブロワ−型ファンにより前記光ピ
ックアップおよびその付近を冷却するようにしたので、スピンドルモータを冷却ファン用
モータとしても共用することができて、冷却ファン用モータが不要となり、この分、コス
トダウンを図れ、また、装置内部の部品の設定位置の効率化を行うことができ、これによ
り、装置のコンパクト化も図れる。また、光ピックアップに向かって送風することにより
、即ち、光ピックアップを直接冷却することにより、光ピックアップの冷却効率を高める
ことができ、温度上昇によるレーザダイオードの劣化を防止できて、装置の寿命が長くな
ると共に、記録時や再生時の悪影響を低減できる。
【００１６】
また、本発明によれば、スピンドルモータにより回転するようにブロワ−型ファンを設
けると共に、前記ブロワ−型ファンを光ピックアップの方向に送風できるように配置した
ので、スピンドルモータを冷却ファン用モータとしても共用することができて、冷却ファ
ン用モータが不要となり、この分、コストダウンを図れ、また、装置内部の部品の設定位
置の効率化を行うことができ、これにより、装置のコンパクト化も図れる。また、光ピッ
クアップに向かって送風することにより、即ち、光ピックアップを直接冷却することによ
り、光ピックアップの冷却効率を高めることができ、温度上昇によるレーザダイオードの
劣化を防止できて、装置の寿命が長くなると共に、記録時や再生時の悪影響を低減できる
。
【発明を実施するための最良の形態】
【００１７】
以下、添付図面を参照しつつ、本発明の実施の形態について説明する。図１は本発明の
一実施形態に係る光ディスク装置におけるディスク駆動機構および光ピックアップ駆動機
構の要部構成を示す平面図である。図２は前記ディスク駆動機構の要部構成を示す側面図
である。以下、図１および図２を参照して本実施形態の構成について説明する。
【００１８】
図２において、１はスピンドルモータ、２はスピンドルモータ１の回転軸、３は回転軸
２に取り付けられたターンテーブルであり、クランパ４によって光ディスク１０はターン
テーブル３上に保持される。ターンテーブル３上のチャッキング１７（図１参照）は光デ
ィスク１０がターンテーブル３上で回転時に滑らないようにするためのものである。５は
スピンドルモータ１の回転軸２に取り付けられたシロッコファンである。６は下部に吸気
口８を有すると共に、光ピックアップ１１（図１参照）の方向に面する側面の所定側面に
形成されたブロワ−７による排気口９を有し、シロッコファン５を囲むように設けられた
ファンカバーであり、シロッコファン５およびファンカバー６によりブロワ−型ファン１
８が構成されている。
【００１９】
図１において、図２に示す構成要素に対応するものには同一の符号を付し、その説明を
省略する。図１において、１１はターンテーブル３に保持される光ディスク１０（図２参
照）の半径方向に移動して光ディスク１０に記録された情報を読み取る読取り機能、また
は光ディスク１０に情報を書き込む書込み機能および光ディスク１０に記録された情報を
読み取る読取り機能を有する光ピックアップである。この光ピックアップ１１には、レー
ザ光を発生するためのレーザダイオードなどの発光素子（図示せず）、および光ディスク
１０にレーザ光を導き照射するための対物レンズなどの光学系（図示せず）や、光ディス
ク１０からの反射光を受光する受光素子（図示せず）が内蔵されている。また、光ピック
アップは、対物レンズをトラッキング方向に駆動するためのトラッキング制御機構と、対
物レンズをフォーカス方向に駆動するためのフォーカス制御機構なども内蔵されている。
【００２０】
また、この光ピックアップ１１はスレッド１２に搭載され、このスレッド１２の一方端
部にはレール１５と摺動する図示しない溝を有する摺動部１３が設けられ、その他方端部
にはレール１６と摺動する図示しない溝を有するラック状ギヤ１４が設けられている。そ
のラック状ギヤ１４は図示しないスレッドモータにより回転するピニオンギヤと噛み合っ
ている。したがって、スレッドモータの回転により、ピニオンギヤを介してラック状ギヤ
１２がレール１６上を移動し、これにより、スレッド１２がレール１５，１６上を移動し
（光ディスクの半径方向に移動し）、これに伴って光ピックアップ１１も光ディスク１０
の半径方向に移動する。
【００２１】
ここで、この光ディスク装置のスピンドルモータ１が回転した場合の動作について説明
する。この光ディスク装置のターンテーブル３に光ディスク１０が載置され、クランパ４
で押下され固定された後、再生開始の操作が行われると、スピンドルモータ１が回転する
。これにより、ターンテーブル３が回転することによって光ディスク１０も回転する。ま
た、スピンドルモータ１の回転軸２には、シロッコファン５の軸も取り付けられているの
で、スピンドルモータ１の回転によりシロッコファン５も回転する。
【００２２】
シロッコファン５が回転（図１から見て左回転）すると、ファンカバー６の下部に設け
られた吸気口８より空気が吸い込まれ、ファンカバー６の側面の所定側面に設けられたブ
ロワ−７の排気口９から空気が排出される。そして、排気口９から排出された空気は、主
に光ピックアップ１１に向かって送られる。この結果、排気口９からの送風によって、光
ピックアップ１１およびその付近の部品（スピンドルモータ１やその他の部品）が冷却さ
れる。
【００２３】
以上説明したように本実施形態によれば、スピンドルモータを冷却ファン用モータとし
ても共用できるので、冷却ファン用モータが不要となり、この分、コストダウンを図れ、
また、装置内部の部品の設定位置の効率化を行うことができ、これにより、装置のコンパ
クト化も図れる。また、光ピックアップに向かって送風することにより、即ち、光ピック
アップを直接冷却することにより、光ピックアップの冷却効率を高めることができ、温度
上昇によるレーザダイオードの劣化を防止できて、装置の寿命が長くなると共に、記録時
や再生時の悪影響を低減できる。
【図面の簡単な説明】
【００２４】
【図１】本発明の一実施形態に係る光ディスク装置におけるディスク駆動機構および光ピックアップ駆動機構の要部構成を示す平面図である。
【図２】前記ディスク駆動機構の要部構成を示す側面図である。
【符号の説明】
【００２５】
１    スピンドルモータ
２    回転軸
３    ターンテーブル
５    シロッコファン
６    ファンカバー
７    ブロワ−
８    吸気口
９    排気口
１０    光ディスク
１１    光ピックアップ
１８    ブロワ−型ファン
【図１】
2006092650.tif 000003
【図２】
2006092650.tif 000004